(57)【要約】【課題】ボリュームの大きいバストに対しても安定性を十分に確保できるストラップレスのカップ付き衣類を提供する。【解決手段】カップ付き衣類１は、左右のカップ部２，２を有するストラップレスのカップ付き衣類であって、難伸縮性素材によって構成され、左右のカップ部２，２における上縁部６の前中心側部分６ａ，６ａの間の領域を覆う面状のバスト押さえパーツ３１を備える。バスト押さえパーツ３１は、カップ部２によって前中心Ｆ側に寄せられた着用者の左右のバストの谷間上方部分を押さえるように作用し、バスト押さえパーツ３１と共にカップ部２の上縁部６でバストを支持できるため、ボリュームの大きいバストに対しても安定性を十分に確保できる。【選択図】図２
2019031760.tif 000002
【特許請求の範囲】
【請求項１】
左右のカップ部を有するストラップレスのカップ付き衣類であって、
難伸縮性素材によって構成され、前記左右のカップ部における上縁部の前中心側部分の間の領域を覆う面状のバスト押さえパーツを備えたカップ付き衣類。
【請求項２】
前記バスト押さえパーツは、前記左右のカップ部と前記バスト押さえパーツとの境界部分の正面側が谷となるように前記左右のカップ部に対して角度をもって結合されている請求項１記載のカップ付き衣類。
【請求項３】
前記バスト押さえパーツは、前記左右のカップ部における前記上縁部の最も高い位置同士を結ぶ辺を有している請求項１又は２記載のカップ付き衣類。
【請求項４】
前記左右のカップ部の下縁部に沿って設けられたワイヤループと、
前記左右のカップ部の前記下縁部に対応して前記ワイヤループ内に配置された左右のワイヤ部材と、を備え、
前記ワイヤループは、前記左右のカップ部の下縁部と前中心との交差位置で横方向に延びる横延在部を有し、
前記左右のワイヤ部材の前中心側の端部は、前記横延在部に向かって延び、かつ前記横延在部から離間している請求項１〜３のいずれか一項記載のカップ付き衣類。
【請求項５】
前記左右のカップ部は、上カップ及び下カップを有し、
前記下カップは、前中心側カップ及び脇側カップを有し、
前記脇側カップの伸縮性は、前記カップ部の他の部位の伸縮性に比べて低くなっている請求項１〜４のいずれか一項記載のカップ付き衣類。
【請求項６】
ストラップレスであることに代えて、前記カップ部の脇方に延びるバック部と、前記カップ部と前記バック部とを繋ぐ肩ストラップとを更に有する請求項１〜５のいずれか一項記載のカップ付き衣類。
【発明の詳細な説明】
【技術分野】
【０００１】
本発明は、カップ付き衣類に関する。
【背景技術】
【０００２】
ブラジャーに代表されるカップ付き衣類の一種として、肩ストラップを備えないストラップレスのブラジャーが知られている。ストラップレスのブラジャーとして、例えば特許文献１に記載の女性用下着がある。この従来の女性用下着では、着用者のバストを覆うカップ部の上縁部に沿って帯状の滑り止め部材が設けられている。かかる滑り止め部材により、肩紐や袖の無い衣服を下着の上に着用した場合の衣服と下着の着崩れの抑制が図られている。
【先行技術文献】
【特許文献】
【０００３】
【特許文献１】特許第５４２１２２６号公報
【発明の概要】
【発明が解決しようとする課題】
【０００４】
ストラップレスのカップ付き衣類では、肩ストラップでバストを引き上げる力が作用しないため、肩ストラップに代えてバストを支持するための構造が必要となっている。現状のストラップレスのカップ付き衣類では、例えばカップ部の下縁部において前中心側の高い位置まで延在するワイヤ部材を配置すると共に、カップ部の上下縁部のパワーを強くすることにより、カップ部の下辺側（土台側）でバストを支持する構造が採用されている。
【０００５】
しかしながら、上述の従来構造では、前中心側の高い位置までワイヤ部材を延在させることで、前中心側において左右のカップ部同士の間隔が広くなり、バストのシルエットが脇側に広がり易いという問題があった。また、土台側でバストを支持する構造では、バストの重さを支えきれないため、ボリュームの大きいバストに対する安定性を確保しにくいという問題があった。このため、従来のストラップレスのカップ付き衣類では、カップサイズが比較的小さいサイズに限られてしまうという課題があった。
【０００６】
本発明は、上記課題の解決のためになされたものであり、ボリュームの大きいバストに対しても安定性を十分に確保できるストラップレスのカップ付き衣類を提供することを目的とする。
【課題を解決するための手段】
【０００７】
本発明の一側面に係るカップ付き衣類は、左右のカップ部を有するストラップレスのカップ付き衣類であって、難伸縮性素材によって構成され、左右のカップ部における上縁部の前中心側部分の間の領域を覆う面状のバスト押さえパーツを備える。
【０００８】
このカップ付き衣類では、左右のカップ部における上縁部の前中心側部分の間の領域を覆うように面状のバスト押さえパーツが設けられている。このバスト押さえパーツは、カップ部によって前中心側に寄せられた着用者の左右のバストの谷間上方部分を押さえるように作用する。したがって、このカップ付き衣類では、従来のようにカップ部の下辺側（土台側）でバストを支持する構造とは異なり、バスト押さえパーツとカップ部の上縁部とによってバストを一連に支持することができる。これにより、ボリュームの大きいバストに対しても安定性を十分に確保でき、ラージカップに対応したストラップレスのカップ付き衣類を実現できる。また、難伸縮性素材をバスト押さえパーツとして用いることによっても安定性が高められ、カップ部の下縁部のパワーを強くする必要がなくなるため、カップ付き衣類の付け心地の良さも保たれる。
【０００９】
また、バスト押さえパーツは、左右のカップ部とバスト押さえパーツとの境界部分の正面側が谷となるように左右のカップ部に対して角度をもって結合されていてもよい。このような構成により、前中心側に寄せられたバストに対するカップ部の引っ掛かりを強めることができる。また、バスト押さえパーツがバストの谷間上方部分に当たり易くなり、バスト押さえパーツによって着用者の左右のバストの谷間上方部分を一層効果的に押さえることが可能となる。したがって、ボリュームの大きいバストに対しても安定性を一層高めることができる。
【００１０】
また、バスト押さえパーツは、左右のカップ部における上縁部の最も高い位置同士を結ぶ辺を有していてもよい。これにより、バスト押さえパーツの面積を十分に確保でき、バスト押さえパーツによって着用者の左右のバストの谷間上方部分を更に効果的に押さえることが可能となる。したがって、ボリュームの大きいバストに対しても安定性を更に高めることができる。
【００１１】
また、左右のカップ部の下縁部に沿って設けられたワイヤループと、左右のカップ部の下縁部に対応してワイヤループ内に配置された左右のワイヤ部材と、を備え、ワイヤループは、左右のカップ部の下縁部と前中心との交差位置で横方向に延びる横延在部を有し、左右のワイヤ部材の前中心側の端部は、横延在部に向かって延び、かつ横延在部から離間していてもよい。このような構成により、カップ部の下縁部においてワイヤ部材を前中心側の比較的低い位置に留めることができる。したがって、前中心側において左右のカップ部同士の間隔を狭めることが可能となり、ワイヤ部材によって前中心側へのバストの寄せが阻害されることもないため、カップ部によって前中心側にしっかりとバストのボリュームを集めることができる。前中心側にしっかりと寄せられたバストをバスト押さえパーツで押さえることにより、ボリュームの大きいバストに対しても安定性を一層十分に確保できる。
【００１２】
また、左右のカップ部は、上カップ及び下カップを有し、下カップは、前中心側カップ及び脇側カップを有し、脇側カップの伸縮性は、カップ部の他の部位の伸縮性に比べて低くなっていてもよい。この場合、伸縮性が相対的に小さい脇側カップによってバストの脇側のボリュームを前中心側に効果的に寄せることができる。
【００１３】
また、ストラップレスであることに代えて、カップ部の脇方に延びるバック部と、カップ部とバック部とを繋ぐ肩ストラップとを更に有していてもよい。上記の構成は、特にストラップレスのカップ付き衣類に対して有効であるが、肩ストラップを有するカップ付き衣類に対しても適用可能である。
【発明の効果】
【００１４】
本発明によれば、ストラップレスのカップ付き衣類において、ボリュームの大きいバストに対しても安定性を十分に確保できる。
【図面の簡単な説明】
【００１５】
【図１】カップ付き衣類の一実施形態を示す正面図である。
【図２】図１に示したカップ付き衣類の裏面図である。
【図３】バスト押さえパーツ近傍の構成を示す要部拡大斜視図である。
【図４】ワイヤ部材の前中心側の構成を示す要部拡大図である。
【図５】カップ付き衣類の変形例を示す裏面図である。
【発明を実施するための形態】
【００１６】
以下、図面を参照しながら、本発明の一側面に係るカップ付き衣類の好適な実施形態について詳細に説明する。なお、以下の説明では、便宜上、カップ付き衣類の着用状態を想定して「上」「下」「正面」「裏面」「脇」等の用語を使用する。
【００１７】
図１は、カップ付き衣類の一実施形態を示す正面図である。また、図２は、その裏面図である。カップ付き衣類１は、肩ストラップを備えないストラップレスのブラジャーであり、特に、比較的大きいサイズのバストに対応するように構成されている。図１及び図２に示すように、カップ付き衣類１は、左右のカップ部２と、カップ部２の下縁側を支持する土台部３と、土台部３の両脇から延びるバック部４とを備えている。
【００１８】
カップ部２は、着用者のバストの形状に対応させた椀形状となっている。左右のカップ部２，２は、前中心Ｆの位置で互いに縫着され、一体となっている。カップ部２，２の正面側には、装飾のためのレースなどの表生地５が結合されていてもよい。カップ部２の材料には、例えば不織布が用いられる。また、カップ部２の表面と裏面には、不織布の耐久性を高めることなどを目的とした布地が結合（ラミネート）されている。裏面（肌側の面）には、肌触り及び吸湿性に優れる素材からなる肌側布が結合されていてもよい。
【００１９】
カップ部２の上縁部６は、着用者のバストの上部に沿うように、上向きに凸となる緩やかな湾曲形状をなしている。上縁部６の最も高い位置Ｘは、バストトップ位置（カップ部２において最も前方に突出した位置）Ｐに比べて脇側に位置していることが好ましい。上縁部６の前中心側部分６ａは、位置Ｘから前中心Ｆに向かって緩やかに下がっており、左右のカップ部２の前中心側部分６ａ，６ａによって前中心Ｆの位置を中心とする略Ｖ字形状が画成されている。
【００２０】
カップ部２の下縁部７は、着用者のバストのバージスラインに沿うように、下向きに凸となる緩やかな湾曲形状をなしている。バストトップ位置Ｐは、下縁部７の最も低い位置Ｙに比べて僅かに前中心Ｆ側に位置している。下縁部７の前中心側部分７ａは、位置Ｙから前中心Ｆに向かって緩やかに上がっており、左右のカップ部の前中心側部分７ａ，７ａによって前中心Ｆの位置を中心とする上向きの窪み形状が画成されている。下縁部７の脇側部分７ｂは、位置Ｙから脇側に向かって上がり、上縁部６の脇側部分６ｂの脇端に繋がっている。
【００２１】
カップ部２は、カップ部２の上側を構成する上カップ１１と、カップ部２の下側を構成する下カップ１２とを有している。上カップ１１は、下カップ１２の上辺に沿って左右方向に帯状に延在している。上カップ１１と下カップ１２とは、バストトップ位置Ｐを通るようにカップ部２の左右方向に延びる上下接ぎラインによって互いに結合されている。上カップ１１及び下カップ１２は、例えば不織布、ダブルラッセル、発泡ポリウレタンといった厚み方向に弾力性を有し、かつ一定の保形性及び難伸縮性を有する素材によって形成されている。
【００２２】
下カップ１２は、前中心側カップ１３と、脇側カップ１４とによって構成されている。前中心側カップ１３と脇側カップ１４とは、バストトップ位置Ｐにおいて上下接ぎラインと交差する左右接ぎラインによって互いに結合されている。左右接ぎラインの下端は、例えば下縁部７の最も低い位置Ｙよりも僅かに脇側に位置している。脇側カップ１４の伸縮性は、肌側布及び表側布の少なくとも一方に例えばマーキゼット等の難伸縮性を有する素材を用いることにより、カップ部２の他の部位の伸縮性よりも低くなっている。すなわち、脇側カップ１４の伸縮性は、上カップ１１及び前中心側カップ１３の伸縮性に比べて低くなっている。
【００２３】
土台部３は、例えばマーキゼット等の難伸縮性を有する織物や編物等の生地素材によって形成されている。土台部３の上縁は、カップ部２の下縁部７に沿う湾曲形状を有している。カップ部２と土台部３との間には、ワイヤループ２１及び左右のカップ部２にそれぞれ対応する左右のワイヤ部材２２，２２が設けられている（図５参照）。ワイヤループ２１は、カップ部２の下縁部７に沿う湾曲形状を有し、ワイヤ部材２２を配置するための内部空間を有している。ワイヤ部材２２は、カップ部２によるバストの保形性を高めるための部材であり、金属或いは樹脂によって形成されている。ワイヤ部材２２は、カップ部２の下縁部７に沿うようにワイヤループ２１内に配置されている。
【００２４】
バック部４は、土台部３の両端からそれぞれ延びている。バック部４は、例えばパワーネット等の伸縮性の生地素材によって帯状に形成されている。バック部４における先端側には、ホック８が設けられている。このホック８により、左右のバック部４，４が互いに係脱自在となっている。
【００２５】
続いて、上述したカップ付き衣類１の更に詳細な構成について説明する。
【００２６】
図１及び図２に示すように、カップ付き衣類１には、着用者のバストを安定して支持するためのバスト押さえパーツ３１が設けられている。バスト押さえパーツ３１は、例えば表裏がラミネートされた不織布などの難伸縮性を有する素材によって面状に構成されている。バスト押さえパーツ３１は、上辺部３２と、一対の斜辺部３３，３３とを有し、全体として略二等辺三角形状をなし、前中心Ｆに対応して配置されている。
【００２７】
上辺部３２は、左右のカップ部２，２における上縁部６の最も高い位置Ｘ，Ｘ同士を結ぶように横方向に延在している。上辺部３２は、カップ付き衣類１を正面から見た場合に位置Ｘ，Ｘ間で略直線状となっているが、凸状或いは凹状の緩やかな湾曲形状となっていてもよい。このような上辺部３２の構成により、バスト押さえパーツ３１は、左右のカップ部２の前中心側部分６ａ，６ａによって画成された略Ｖ字形状部分の略全域に配置されている。
【００２８】
また、一対の斜辺部３３，３３は、左右のカップ部２の前中心側部分６ａ，６ａにそれぞれ結合されている。斜辺部３３と前中心側部分６ａとは、例えば立体縫製によって結合されていることが好ましい。本実施形態では、展開形状において斜辺部３３と前中心側部分６ａとがいずれも凹状をなし、凹状の斜辺部３３と凹状の前中心側部分６ａとが互いに縫着されている。これにより、バスト押さえパーツ３１は、図３に示すように、左右のカップ部２，２とバスト押さえパーツ３１との境界部分（すなわち、斜辺部３３と前中心側部分６ａとの結合部分）Ｖの正面側が谷となるように左右のカップ部２，２に対して角度をもって結合されている。なお、図３では、表生地５を省略した状態でカップ付き衣類１を示している。
【００２９】
境界部分Ｖにおけるバスト押さえパーツ３１と左右のカップ部２，２との間の角度は、例えばカップサイズに比例して大きくなるように設計される。すなわち、カップサイズが大きい場合である程、展開形状における斜辺部３３の曲率及び前中心側部分６ａの曲率が大きくなるように設計される。
【００３０】
また、カップ付き衣類１では、ワイヤ部材２２として、いわゆるＬ字ワイヤが用いられている。従来のストラップレスのブラジャーでは、例えば左右のカップ部を前中心において連結部材で結合し、前中心において左右のカップ部同士を一定の間隔で離間させる構成が一般的であった。その上で、いわゆるＵ字ワイヤを採用し、カップ部の下縁部において前中心側の高い位置までワイヤ部材を延在させる構成が採られていた。
【００３１】
これに対し、カップ付き衣類１では、図１及び図２に示したように、左右のカップ部２，２が前中心Ｆの位置で互いに縫着され、一体となっている。また、図４に示すように、ワイヤループ２１には、左右のカップ部２，２の下縁部７と前中心Ｆとの交差位置Ｚで横方向に延びる横延在部２３が設けられている。横延在部２３は、全体が直線状であってもよく、全体が緩やかな湾曲形状であってもよく、中央部分（交差位置Ｚに対応する部分）のみが直線状で他の部分が緩やかな湾曲形状であってもよい。
【００３２】
横延在部２３の配置に対応し、左右のワイヤ部材２２，２２の前中心Ｆ側の端部２２ａ，２２ａは、ワイヤループ２１内を横延在部２３に向かってそれぞれ延び、かつ横延在部２３からは離間している。つまり、本実施形態では、ワイヤ部材２２における前中心Ｆ側の端部２２ａは、ワイヤループ２１の形状に沿いつつ横延在部２３の手前で終端しており、ワイヤ部材２２には、前中心側においてカップ部２の上縁部６側に向かって立ち上がる部分が設けられていない状態となっている。
【００３３】
以上説明したように、カップ付き衣類１では、左右のカップ部２，２における上縁部６の前中心側部分６ａ，６ａの間の領域を覆うように面状のバスト押さえパーツ３１が設けられている。このバスト押さえパーツ３１は、カップ部２によって前中心Ｆ側に寄せられた着用者の左右のバストの谷間上方部分を押さえるように作用する。したがって、このカップ付き衣類１では、従来のようにカップ部の下辺側（土台側）でバストを支持する構造とは異なり、バスト押さえパーツ３１とカップ部２の上縁部６とによってバストを一連に支持することができる。これにより、ボリュームの大きいバストに対しても安定性を十分に確保でき、ラージカップに対応したストラップレスのカップ付き衣類１を実現できる。また、不織布といった難伸縮性素材をバスト押さえパーツ３１として用いることによっても安定性が高められ、カップ部２の下縁部７のパワーを強くする必要がなくなるため、カップ付き衣類１の付け心地の良さも保たれる。また、ゴムなどの部材が直接的に肌に触れるような場合と比較しても、カップ付き衣類１の付け心地の良さを向上できる。
【００３４】
また、カップ付き衣類１では、左右のカップ部２，２とバスト押さえパーツ３１との境界部分Ｖの正面側が谷となるように、バスト押さえパーツ３１が左右のカップ部２，２に対して角度をもって結合されている。このような構成により、前中心Ｆ側に寄せられたバストに対するカップ部２の引っ掛かりを強めることができる。また、バスト押さえパーツ３１がバストの谷間上方部分に当たり易くなり、バスト押さえパーツ３１によって着用者の左右のバストの谷間上方部分を一層効果的に押さえることが可能となる。したがって、ボリュームの大きいバストに対しても安定性を一層高めることができる。
【００３５】
また、カップ付き衣類１では、バスト押さえパーツ３１が左右のカップ部２，２における上縁部６の最も高い位置Ｘ，Ｘ同士を結ぶ上辺部３２を有している。これにより、左右のカップ部２，２における上縁部６の前中心側部分６ａ，６ａによって画成されたＶ字形状部分に十分な面積でバスト押さえパーツ３１が配置され、バスト押さえパーツ３１によって着用者の左右のバストの谷間上方部分を更に効果的に押さえることが可能となる。したがって、ボリュームの大きいバストに対する安定性を更に高めることができる。
【００３６】
また、カップ付き衣類１では、左右のカップ部２，２の下縁部７と前中心Ｆとの交差位置Ｚで横方向に延びる横延在部２３がワイヤループ２１に設けられている。そして、ワイヤループ２１内に配置された左右のワイヤ部材２２，２２の前中心Ｆ側の端部２２ａは、横延在部２３に向かって延び、かつ横延在部２３からは離間している。このような構成により、カップ部２の下縁部７においてワイヤ部材２２を前中心Ｆ側の比較的低い位置に留めることができる。したがって、前中心Ｆ側において左右のカップ部同士の間隔を狭めることが可能となる。
【００３７】
本実施形態では、ワイヤ部材２２が前中心Ｆ側の比較的低い位置に留められることで、左右のカップ部２，２同士が前中心Ｆにおいて一体に結合されている。このため、ワイヤ部材２２によって前中心Ｆ側へのバストの寄せが阻害されることもなく、カップ部２によって前中心Ｆ側にしっかりとバストのボリュームを集めることができる。したがって、カップ付き衣類１では、前中心Ｆ側にしっかりと寄せられたバストをバスト押さえパーツ３１で押さえることができ、ボリュームの大きいバストに対しても安定性を一層十分に確保できる。
【００３８】
また、カップ付き衣類１では、下カップ１２を構成する脇側カップ１４の伸縮性がカップ部２の他の部位の伸縮性に比べて低くなっている。これにより、伸縮性が相対的に小さい脇側カップ１４によってバストの脇側のボリュームを前中心Ｆ側に効果的に寄せることができる。
【００３９】
本発明は、上記実施形態に限られるものではない。例えば上記実施形態では、バスト押さえパーツ３１の上辺部３２が、左右のカップ部２，２における上縁部６の最も高い位置Ｘ，Ｘ同士を結ぶように横方向に延在しているが、上辺部３２は、上縁部６における位置Ｘよりも一段低い位置同士を結ぶように横方向に延在していてもよい。すなわち、上辺部３２は、上縁部６における位置Ｘよりも前中心側となる位置（前中心側部分６ａのいずれかの位置）同士を結ぶように横方向に延在していてもよい。
【００４０】
また、上記実施形態では、左右のカップ部２に対して別体のバスト押さえパーツ３１を結合させているが、図５に示すように、バスト押さえパーツ３１をモールド成型等によって左右のカップ部２，２と一体に形成してもよい。この場合、カップ部２において、脇側カップ１４に相当する部分の圧縮率を他の部位よりも高くし、脇側カップ１４に相当する部分の伸縮性を他の部位の伸縮性に比べて低くすることが好ましい。
【００４１】
また、上記実施形態では、カップ付き衣類１としてストラップレスのブラジャーを例示したが、本発明は、ブラジャー付きキャミソールといった他のストラップレスのカップ付き衣類にも適用可能である。また、カップ付き衣類は、ストラップレスであることに代えて、カップ部２とバック部４とを繋ぐ肩ストラップ（不図示）とを更に有していてもよい。本発明の構成は、特にストラップレスのカップ付き衣類に対して有効であるが、肩ストラップを有するカップ付き衣類に対しても適用可能である。この場合、肩ストラップは、カップ部２及びバック部４に対して縫着等で結合されていてもよく、着脱自在に結合されていてもよい。
【符号の説明】
【００４２】
１…カップ付き衣類、２…カップ部、４…バック部、６…上縁部、６ａ…前中心側部分、７…下縁部、１１…上カップ、１２…下カップ、１３…前中心側カップ、１４…脇側カップ、２１…ワイヤループ、２２…ワイヤ部材、２２ａ…端部、２３…横延在部、３１…バスト押さえパーツ、Ｆ…前中心、Ｖ…境界部分、Ｘ…上縁部の最も高い位置、Ｚ…交差位置。
【図１】
2019031760.tif 000003
【図２】
2019031760.tif 000004
【図３】
2019031760.tif 000005
【図４】
2019031760.tif 000006
【図５】
2019031760.tif 000007